(57)【要約】      （修正有）【課題】一定の長さのテープを送り出し可能なテープカッターを提供する。【解決手段】テープカッターは本体を有する。本体の一端にはカッター刃が取り付けられる。本体にはローラが回転可能に取り付けられ、ローラは本体に対して移動する。ローラ上には位置決め部が配置される。制限部が本体内に配置され、ローラに隣接する。制限部はローラの可動方向に位置し、位置決め部と当接する。ローラを元の位置に戻すための弾性要素が設置される。制限部及び位置決め部が互いに当接するように実装することで、引き出されるテープの長さは一定のものに制限され、テープの無駄が防止される。【選択図】図１
2017206349.tif 000002
【特許請求の範囲】
【請求項１】
本体、
前記本体の一端に取り付けられたカッター刃、
前記本体に取り付けられ、前記本体に対して回転可能且つ可動性であるローラであって、前記ローラ上に配置された位置決め部を有するローラ、
前記本体内に位置し、前記ローラに隣接し、前記ローラの可動方向上に位置し、前記位置決め部に当接して前記ローラの回転を停止させる制限部、並びに、
前記本体に取り付けられ、前記ローラを元の位置に戻す弾性力を付与する弾性要素、を備えた、
一定の長さのテープを送り出し可能なテープカッター。
【請求項２】
可動台は前記本体に取り付けられ、前記可動台は可動的に前記本体に取り付けられ、前記ローラは前記可動台に取り付けられ、前記可動台と一緒に前記本体に対して移動し、前記ローラは前記可動台に対して固定された位置で回転し、前記弾性要素は前記本体と前記可動台との間に取り付けられ、前記ローラと一緒に前記可動台を元の位置に戻すことを特徴とする、請求項１に記載の一定の長さのテープを送り出し可能なテープカッター。
【請求項３】
前記可動台は可動方向に沿って移動して前記カッター刃に接近するか又は前記カッター刃から離れることを特徴とする、請求項２に記載の一定の長さのテープを送り出し可能なテープカッター。
【請求項４】
前記制限部は、前記カッター刃に接近する前記ローラの可動方向上に位置することを特徴とする、請求項２に記載の一定の長さのテープを送り出し可能なテープカッター。
【請求項５】
圧迫アームは前記可動台に取り付けられ、前記圧迫アームの一端は前記可動台に枢動可能に連結され、前記圧迫アームのもう一方の端部は前記ローラに向かって延在し且つ圧迫端と定義され、圧迫ユニットは前記圧迫端上に配置され且つ前記ローラを圧迫することを特徴とする、請求項２に記載の一定の長さのテープを送り出し可能なテープカッター。
【請求項６】
前記圧迫ユニットは、複数の弾性アーム、圧迫ローラ又は圧迫隆条部として実装されることを特徴とする、請求項５に記載の一定の長さのテープを送り出し可能なテープカッター。
【請求項７】
前記ローラは前記本体に可動的に且つ直接取り付けられることを特徴とする、請求項１に記載の一定の長さのテープを送り出し可能なテープカッター。
【請求項８】
前記カッター刃は前記本体上に固定されることを特徴とする、請求項１〜７のいずれか一項に記載の一定の長さのテープを送り出し可能なテープカッター。
【請求項９】
前記制限部は、前記本体の内壁に一体的に形成され且つ前記内壁から突出することを特徴とする、請求項１〜７のいずれか一項に記載の一定の長さのテープを送り出し可能なテープカッター。
【請求項１０】
調節ノブは前記本体に取り付けられ且つ前記本体に対して回転可能であり、前記制限部は前記調節ノブから突出し且つ前記本体内に位置することを特徴とする、請求項１〜８のいずれか一項に記載の一定の長さのテープを送り出し可能なテープカッター。
【請求項１１】
シャフトは前記ローラから軸方向に突出し、前記位置決め部は突起であり且つ前記ローラ上に前記シャフトに向かって半径方向に配置されることを特徴とする、請求項９又は１０に記載の一定の長さのテープを送り出し可能なテープカッター。
【請求項１２】
前記位置決め部は前記シャフトから半径方向に突出することを特徴とする、請求項１１に記載の一定の長さのテープを送り出し可能なテープカッター。
【発明の詳細な説明】
【技術分野】
【０００１】
本発明はテープカッター、特には一定の長さのテープを送り出し可能なテープカッターに関する。
【背景技術】
【０００２】
物品を貼り付けるにはテープを用い、一定の長さのテープを便利に取り出すために、従来のテープカッターにはテープリールを取り付けておく。テープの端を引っ張るとテープリールがテープカッターに対して回転してテープが少しずつ繰り出される。テープを特定の長さまで引き出したら、テープをテープカッターに取り付けられたカッター刃で切断し、ユーザはその特定の長さのテープで物品を貼り付けることができる。
【０００３】
しかしながら、従来のテープカッターを使用する場合、引き出されるテープの長さは個人的な経験とユーザの感覚に左右される。したがって、テープカッターを操作するたびに、テープカッターから引き出されるテープの長さは違ったものになる。よって、特定の長さに引き出したテープを必要とする貼り付け作業にこのテープカッターを利用する場合、不都合であり、引き出されたテープが必要な長さより長く、テープが無駄になる場合がある。
【発明の概要】
【発明が解決しようとする課題】
【０００４】
従来のテープカッターの使用及び構造における不十分な点及び短所を考慮し、絶えざる研究と実験の末に、従来型のテープカッターの短所を克服した、改良されたテープカッターを発明した。
【０００５】
本発明の主な目的は、一定の長さのテープを送り出し可能なテープカッターを提供することである。本発明のテープカッターを使用することで、ユーザは毎回、使用上のニーズに適った一定の長さのテープを引き出せるため、テープカッターの利用可能性が増大し、テープの無駄が減少し得る。
【課題を解決するための手段】
【０００６】
上記の目的を果たすため、本発明は、本体、カッター刃、ローラ、制限部及び弾性要素を備えた、一定の長さのテープを送り出し可能なテープカッターを提供する。
【０００７】
カッター刃は、本体の一端に取り付けられる。
【０００８】
ローラは本体に取り付けられ、本体に対して回転可能且つ可動性であり、位置決め部はローラ上に配置される。
【０００９】
制限部は本体内にあり、ローラに隣接し、また制限部はローラの可動方向上に位置しており、位置決め部に当接してローラの回転を停止させる。
【００１０】
弾性要素は本体に取り付けられ、ローラを元の位置に戻す弾性力を付与する。
【００１１】
このような構成では、本発明のテープカッターをユーザが使用し、ある長さのテープを引き出すと、同時にローラも本体に対して移動及び回転する。ローラ上の位置決め部及び制限部が互いに当接することで引き出されるテープを一定の長さに制限し、ユーザからの使用上のニーズに応えることができる。テープカッターの利用可能性を増大させ、テープの無駄を削減できる。
【００１２】
本発明の他の目的、利点及び今までにない特徴は、添付の図面と併せて以下の詳細な説明を読むことで一層明らかとなる。
【図面の簡単な説明】
【００１３】
【図１】本発明の一定の長さのテープを送り出し可能なテープカッターの好ましい実施形態の斜視図である。
【図２】図１のテープカッターの部分分解斜視図である。
【図３】図１のテープカッターの部分断面斜視図である。
【図４】一定の長さのテープを引き出す場合の図１のテープカッターの動作時側方断面図である。
【図５】一定の長さのテープを切断する際の図１のテープカッターの動作時側方断面図である。
【図６】可動台が元の位置に戻る際の図１のテープカッターの拡大動作時側方断面図である。
【図７】引き出すテープの長さを制限しない場合の図１のテープカッターの拡大動作時側方断面図である。
【図８】引き出すテープの長さを制限しない場合の図１のテープカッターの拡大動作時側方断面図である。
【発明を実施するための形態】
【００１４】
図１〜３を参照する。本発明の一定の長さのテープを送り出し可能なテープカッターの好ましい実施形態は、本体１０、カッター刃１４、ローラ２０及び弾性要素１３を備える。
引き出すテープ４０は本体１０に取り付けられる。カッター刃１４は本体１０の一端に取り付けられ、引き出されたテープ４０を切断する。好ましくは、カッター刃１４は本体１０上に固定される。ローラ２０は本体１０内に配置され、本体１０に対して回転可能且つ可動性であり、テープ４０を引き出す経路上に位置する。加えて、ローラ２０は、本体１０に直接又は間接的に可動的に取り付け得る。
【００１５】
好ましい実施形態において、ローラ２０は本体１０に可動的且つ間接的に取り付けられる。この構成において、本体１０は、本体１０に可動的に取り付けられた可動台１２をさらに有する。
可動台１２は可動方向に沿って移動してカッター刃１４に接近し得る又はカッター刃１４から離れ得る。ローラ２０は可動台１２の最上部に取り付けられ、本体１０に対して可動台１２と一緒に移動する。ローラ２０は固定された位置で可動台１２に対して回転し、テープ４０は可動台１２に回転可能に取り付けられる。
【００１６】
弾性要素１３は本体１０に取り付けられ、ローラ２０を元の位置に戻す弾性力を付与する。ローラ２０が可動台１２に取り付けられる構造形態において、弾性要素１３は本体１０と可動台１２との間に取り付けられるため、弾性要素１３は、可動台１２を元の位置に戻す弾性力を付与し且つ同時に可動台１２に取り付けられたローラ２０を元の位置に戻し得る。言い換えると、弾性要素１３の弾性力を用いて可動台１２を駆動し、ローラ２０を元の位置に戻す。
【００１７】
ローラ２０はローラ２０から軸方向に突出しているシャフト２２を有するため、ローラ２０をこのシャフト２２により可動台１２に回転可能に取り付け得る。位置決め部２４は突起になり得て、ローラ２０上にシャフト２２に向かって半径方向に配置される。好ましくは、位置決め部２４はシャフト２２上に形成され且つシャフト２２から半径方向に突出する。したがって、ローラ２０を回転させると、シャフト２２及び位置決め部２４もローラ２０と一緒に回転する。
制限部３０は本体１０内に配置され、ローラ２０に隣接する。制限部３０はローラ２０の可動方向上に位置する。制限部３０は位置決め部２４に連絡及び当接してローラ２０の回転を停止させる。
【００１８】
好ましい実施形態において、制限部３０は、カッター刃１４に接近する可動台１２の可動方向上に位置する。あるいは、可動台１２を省略した別の好ましい実施形態では、弾性要素１３を弾性要素１３の２つの端部で本体１０及びローラ２０に直接連結することで、移動したローラ２０を直接、元の位置に戻し得る。
【００１９】
制限部３０の実装に関し、制限部３０は本体１０の内壁に一体的に形成し得て、内壁から突出する。あるいは、調節ノブ３２を本体１０に取り付け、調節ノブ３２は本体１０に対して回転可能である。
制限部３０は調節ノブ３２から突出し得て、また本体内に位置する。調節ノブ３２を回転させると、制限部３０も回転して可動台１２の可動方向上の又は可動方向から離れた位置にくるため、テープ４０の長さを固定するかしないかの選択機能が得られる。
【００２０】
図４〜６を参照する。調節ノブ３２を回転させて制限部３０を可動台１２の可動方向上にもってくる。ユーザがある長さのテープ４０を引き出すと、テープ４０は可動台１２に対して回転し、それと同時にユーザの引っ張る力により可動台１２が本体１０に対して移動する。ローラ２０は可動台１２と一緒に移動するため、ローラ２０も本体１０に対して移動する。同時に、テープ４０の接着面がローラ２０に軽く張り付くため、テープ４０を引き出すと、ローラ２０が、可動台１２に対して固定された位置で回転する。
【００２１】
ローラ２０は、位置決め部２４が制限部３０に当接するまで回転し続ける。位置決め部２４が制限部３０に当接すると、ある長さのテープ４０を引き出す引っ張り力を制限する制限力がユーザにかかる。引っ張り力が制限されると、ユーザによるテープの引き出しが制限され、その長さを超えてテープ４０を引き出し続けることができなくなる。そのため、テープ４０を一定の長さで引き出せる。概して、引き出すテープ４０の一定の長さとは、ローラ２０の円周長さと定義される。
【００２２】
ユーザがカッター刃１４で一定の長さをテープ４０から切断した後、可動台１２は弾性要素１３の弾性力により元の位置へと移動して戻り、同時に位置決め部２４は制限部３０から離れる。したがって、ユーザがテープ４０を再度引き出すと、ローラ２０も回転する。さらに、位置決め部２４と制限部３０とが当接することで、ユーザは、ユーザのニーズに適った一定の長さのテープ４０を引き出せる。テープ４０の無駄を防止できる。
【００２３】
さらに、ローラ２０を本体１０に直接取り付けるならば、ある長さのテープ４０を引き出している時にローラ２０を直接、本体１０に対して移動及び回転させることができる。ローラ２０は、位置決め部２４及び制限部３０が互いに当接するまで回転し続ける。位置決め部２４及び制限部３０が互いに当接すると、引き出されるテープ４０の長さを、ユーザの実際のニーズに適った一定のものに制限できる。
【００２４】
調節ノブ３２を回転させると、図７、８に示すように、制限部３０が可動台１２の可動方向から離れた位置にくる。ユーザがある長さのテープ４０を引き出すと、テープ４０によりローラ２０は回転するが、位置決め部２４は制限部３０に当接しない。これは制限部３０が、可動台１２の可動方向から離れた位置にあるからである。したがって、ユーザは任意の長さのテープ４０を引き出せ、テープカッターは、従来型のテープカッターと同じ動作状態に切り替わる。
したがって、ユーザは、調節ノブ３２を回転させてテープカッターの動作を切り替えることで引き出すテープ４０の長さを制限又は制限しないことができ、ユーザの異なるニーズは満たされ、またテープカッターの全体的な有用性は向上する。
【００２５】
さらに、圧迫アーム１６が可動台１２に取り付けられる。圧迫アーム１６の一端は、可動台１２に枢動可動に連結される。圧迫アーム１６のもう一方の端部は圧迫端と定義される。この圧迫端はローラ２０に向かって延在する。圧迫端上には圧迫ユニット１６２が配置され、ローラ２０を圧迫する。圧迫ユニット１６２は、複数の弾性アーム、圧迫ローラ又は圧迫隆条部として実装し得る。
圧迫アーム１６及び圧迫ユニット１６２を実装することで、ローラ２０と圧迫ユニット１６２との間を通る際にテープ４０はＳ形状にわずかに湾曲し、テープの高さに差が生じる。したがって、テープ４０をローラ２０に信頼性高く貼り付けることができ、テープ４０を引き出す際に、ローラ２０を信頼性高く回転させることができる。
【００２６】
本発明の構造及び機能に関する詳細と共に本発明の数々の特徴及び利点についてこれまで述べてきたが、本開示は説明の便宜上のものにすぎず、添付の請求項で用いた文言の広く一般的な意味によって示される限度まで、細部、特に形状、サイズ及び部品の配置に関して、本発明の原理内で変更を加え得る。
【図１】
2017206349.tif 000003
【図２】
2017206349.tif 000004
【図３】
2017206349.tif 000005
【図４】
2017206349.tif 000006
【図５】
2017206349.tif 000007
【図６】
2017206349.tif 000008
【図７】
2017206349.tif 000009
【図８】
2017206349.tif 000010